【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
撮影画面内の被写体の測光値を複数求めて、前記撮影画面に対する露出値を求める露出演算部と、
前記複数の測光値のうち所定の範囲に属するものの最高値に基づいて、前記露出値を補正する補正値を求める補正演算部とを備えることを特徴とするカメラ。
【請求項２】
請求項１に記載のカメラにおいて、
撮影画面を複数の領域に分割して測光することにより、前記複数の測光値を取得する測光部をさらに備えることを特徴とするカメラ。
【請求項３】
請求項２に記載のカメラにおいて、
前記最高値は、前記複数の領域のそれぞれの測光値のうち所定値以下の値を示すものの領域に対するものであることを特徴とするカメラ。
【請求項４】
請求項１に記載のカメラにおいて、
前記補正値は、前記露出値をアンダー側に補正する値であることを特徴とするカメラ。
【請求項５】
請求項１から請求項４のいずれか１項に記載のカメラにおいて、
前記補正演算部は、前記露出演算部で求められた前記露出値と前記最高値との差に基づいて前記補正値を求めることを特徴とするカメラ。
【請求項６】
請求項５に記載のカメラにおいて、
前記補正演算部は、前記差が大きいほど前記露出値をアンダー側に補正する補正値を求めることを特徴とするカメラ。
【請求項７】
請求項１から請求項６のいずれか１項に記載のカメラにおいて、
前記露出演算部は、前記被写体の人物の顔部分を検出し、前記複数の測光値のうち、前記顔部分に対応する測光値に基づいて前記露出値を求めることを特徴とするカメラ。
【請求項８】
請求項１から請求項７のいずれか１項に記載のカメラにおいて、
前記補正値に基づいて露出を制御し、前記撮影画面の被写体像を撮像する撮像部をさらに備えることを特徴とするカメラ。
【請求項９】
請求項８に記載のカメラにおいて、
前記撮像部の出力に対して階調変換処理を行う画像処理部をさらに備えることを特徴とするカメラ。
【請求項１０】
請求項９に記載のカメラにおいて、
前記補正演算部は、前記露出値および前記最高値に基づいて、前記補正値および前記階調変換処理の階調特性を求めることを特徴とするカメラ。
【請求項１１】
撮影画面内の被写体の測光値を複数求めて、前記撮影画面に対する露出値を求めるステップと、
前記複数の測光値のうち所定の範囲に属するものの最高値に基づいて、前記露出値を補正する補正値を求めるステップと、
前記補正値に基づいて露出を制御し、前記撮影画面の被写体像を撮影するステップと、  を備えることを特徴とする撮像方法。
【請求項１２】
請求項１１に記載の撮像方法において、
前記露出値および前記最高値に基づいて、前記補正値および前記撮影で取得した画像出力に対する階調変換処理の階調特性を求めるステップをさらに備えることを特徴とする撮像方法。
【請求項１３】
請求項１２に記載の撮像方法において、
求めた前記階調特性に基づいて、前記階調変換処理を実行するステップをさらに備えることを特徴とする撮像方法。
【請求項１４】
撮影画面内の被写体の測光値を複数求めて、前記撮影画面に対する露出値を求める露出演算部と、
前記複数の測光値のうち所定の範囲に属するものの最高値に基づいて、前記露出値を補正する補正値を求める補正演算部とを備えることを特徴とする露出演算装置。
【請求項１５】
撮影画面内の被写体の測光値を複数求めて、前記撮影画面に対する露出値を求める露出演算部と、前記複数の測光値のうち所定の範囲に属するものの最高値に基づいて、前記露出値を補正する補正値を求める補正演算部とを備えるカメラに関し、前記補正値に基づいて撮影された画像データを処理するための制御部を有するコンピュータに対して、
前記露出値および前記最高値に関する撮影条件データとともに、前記補正値に基づく露出で撮影された前記画像データを前記制御部に読み込ませるステップと、
前記露出値および前記最高値に基づいて、階調変換処理の階調特性を求めるステップと、
求めた前記階調特性に基づいて、前記画像データに階調変換処理を実行するステップと、
を前記制御部に実行させることを特徴とするプログラム。
【手続補正２】
【補正対象書類名】明細書
【補正対象項目名】０００６
【補正方法】変更
【補正の内容】
【０００６】
第３の発明は、第２の発明において、最高値は、複数の領域のそれぞれの測光値のうち所定値以下の値を示すものの領域に対するものであることを特徴とする。
第４の発明は、第１の発明において、補正値は、露出値をアンダー側に補正する値であることを特徴とする。
第５の発明は、第１から第４のいずれかの発明において、補正演算部は、露出演算部で求められた露出値と最高値との差に基づいて補正値を求めることを特徴とする。
第６の発明は、第５の発明において、補正演算部は、差が大きいほど露出値をアンダー側に補正する補正値を求めることを特徴とする。
第７の発明は、第１から第６のいずれかの発明において、露出演算部は、被写体の人物の顔部分を検出し、複数の測光値のうち、顔部分に対応する測光値に基づいて露出値を求めることを特徴とする。
第８の発明は、第１から第７のいずれかの発明において、補正値に基づいて露出を制御し、撮影画面の被写体像を撮像する撮像部をさらに備えることを特徴とする。
【手続補正３】
【補正対象書類名】明細書
【補正対象項目名】０００７
【補正方法】変更
【補正の内容】
【０００７】
第９の発明は、第８の発明において、撮像部の出力に対して階調変換処理を行う画像処理部をさらに備えることを特徴とする。
第１０の発明は、第９の発明において、補正演算部は、露出値および最高値に基づいて、補正値および階調変換処理の階調特性を求めることを特徴とする。
第１１の発明に係る撮像方法は、撮影画面内の被写体の測光値を複数求めて、撮影画面に対する露出値を求めるステップと、複数の測光値のうち所定の範囲に属するものの最高値に基づいて、露出値を補正する補正値を求めるステップと、補正値に基づいて露出を制御し、撮影画面の被写体像を撮影するステップと、を備えることを特徴とする。
【手続補正４】
【補正対象書類名】明細書
【補正対象項目名】０００８
【補正方法】変更
【補正の内容】
【０００８】
第１２の発明は、第１１の発明において、露出値および最高値に基づいて、補正値および撮影で取得した画像出力に対する階調変換処理の階調特性を求めるステップをさらに備えることを特徴とする。
第１３の発明は、第１２の発明において、求めた階調特性に基づいて、階調変換処理を実行するステップをさらに備えることを特徴とする。
【手続補正５】
【補正対象書類名】明細書
【補正対象項目名】０００９
【補正方法】変更
【補正の内容】
【０００９】
第１４の発明に係る露出演算装置は、露出演算部と、補正演算部とを備えることを特徴とする。露出演算部は、撮影画面内の被写体の測光値を複数求めて、撮影画面に対する露出値を求める。補正演算部は、複数の測光値のうち所定の範囲に属するものの最高値に基づいて、露出値を補正する補正値を求める。
第１５の発明の係るプログラムは、撮影画面内の被写体の測光値を複数求めて、撮影画面に対する露出値を求める露出演算部と、複数の測光値のうち所定の範囲に属するものの最高値に基づいて、露出値を補正する補正値を求める補正演算部とを備えるカメラに関するものである。このプログラムは、補正値に基づいて撮影された画像データを処理するための制御部を有するコンピュータに対して、露出値および最高値に関する撮影条件データとともに、補正値に基づく露出で撮影された画像データを制御部に読み込ませるステップと、露出値および最高値に基づいて、階調変換処理の階調特性を求めるステップと、求めた階調特性に基づいて、画像データに階調変換処理を実行するステップと、を制御部に実行させる。